(57)【特許請求の範囲】
【請求項１】
伝動ケースの下端部から側方に耕耘ロータを配設し、該伝動ケースの下端部から下方に向け縦刃及び横刃を有する残耕処理爪を突設した伝動ケースの残耕処理装置において、
前記残耕処理爪の横刃は、縦刃の下端部に、機体進行方向前側から後側斜め上方に延びるすくい面と、該すくい面の後方側に配置されて後側斜め上方に延びる土反転作用面とを設けてなり、かつ該土反転作用面は伝動ケースの下端部に対し後退配置されていることを特徴とする伝動ケースの残耕処理装置。
【請求項２】
上記残耕処理爪の横刃における土反転作用面は、横刃のすくい面に連続して延びて該すくい面の後端を斜め上方に向けて折り曲げて形成したことを特徴とする請求項１記載の伝動ケースの残耕処理装置。
【発明の詳細な説明】
【０００１】
【発明の属する技術分野】
本発明は、下端部から側方に耕耘ロータを配設した伝動ケースの下端部から下方に向け縦刃及び横刃を有する残耕処理爪を突設した残耕処理装置に関する。
【０００２】
【従来の技術】
従来、図６及び図７に示すように、センタードライブ式の伝動ケースＡの下端部から左右両側方に駆動軸Ｂを突出させ、この駆動軸Ｂに円形の爪取付けフランジＣを固着し、該爪取付けフランジＣの外周部に、放射方向に複数本の耕耘爪Ｄを所定の間隔に装着して耕耘ロータを構成し、前記伝動ケースＡの下端部から下方に向け縦刃及び横刃を有する残耕処理爪Ｅを突設した伝動ケースの残耕処理装置が周知である。
【０００３】
上記従来の残耕処理爪Ｅは、縦刃に対して横刃を、周知の深耕用チゼルと同様に前傾状に前後にストレートに延びているだけであり、伝動ケースＡ下方の残耕処理が十分に行えなかった。特に、作物の植付け溝を形成するような場合に、残耕部分があると、作物の植付けがうまく行えなかった。
【０００４】
【発明が解決しようとする課題】
上記のように従来の残耕処理爪Ｅでは、伝動ケースＡ下方の残耕処理が不十分であり、残耕があったので、これを改良する必要があった。
【０００５】
本発明は上記の課題を解決することを目的になされたもので、特に残耕処理爪の横刃を改良することにより、伝動ケース下方の残耕処理が十分に行われるようにした伝動ケースの残耕処理装置を提供しようとするものである。
【０００６】
【課題を解決するための手段】
上記の目的を達成するために本発明は、以下の構成（請求項１及び２）を備えることを特徴としている。
Ａ．伝動ケースの下端部から側方に耕耘ロータを配設し、該伝動ケースの下端部から下方に向け縦刃及び横刃を有する残耕処理爪を突設した伝動ケースの残耕処理装置において、前記残耕処理爪の横刃は、縦刃の下端部に、機体進行方向前側から後側斜め上方に延びるすくい面と、該すくい面の後方側に配置されて後側斜め上方に延びる土反転作用面とを設けてなり、かつ該土反転作用面は伝動ケースの下端部に対し後退配置されている。
【０００７】
Ｂ．上記残耕処理爪の横刃における土反転作用面は、横刃のすくい面に連続して延びて該すくい面の後端を斜め上方に向けて折り曲げて形成した。
【０００８】
【作用】
上記の構成により本発明の伝動ケースの残耕処理装置は、以下の作用をする。
ａ．残耕処理爪の横刃は、縦刃の下端部に、機体進行方向前側から後側斜め上方に延びるすくい面と、該すくい面の後方側に配置されて後側斜め上方に延びる土反転作用面とを設けてなり、かつ該土反転作用面は伝動ケースの下端部に対し後退配置されていることで、伝動ケース下の耕耘ロータで耕耘されなかった残耕部分が横刃のすくい面によりすくわれるようにして耕耘され、さらに土反転作用面により伝動ケースの下端部に邪魔されることなく反転され砕かれて平面状に仕上げられる。
【０００９】
ｂ．残耕処理爪の横刃における土反転作用面は、横刃のすくい面に連続して延びて該すくい面の後端を斜め上方に向けて折り曲げて形成したことで、伝動ケース下の残耕部分が横刃によって広く耕耘され、土反転作用面により反転されて均平に仕上げられる。
【００１０】
【発明の実施の形態】
以下、本発明の一実施の形態を添付の図面を参照して具体的に説明する。
図１〜図３において、符号１は、ロータリ中耕機（農作業機）で、このロータリ中耕機１は、機体の進行方向と直交して水平方向に延びる断面ほぼ正方形の中空パイプからなる本体フレーム２に対し、３個の作業ユニット３Ｃ、３Ｌ、３Ｒを備えた作業（中耕）ユニット３を、所定の間隔を置いて配置しており、このうち中央作業ユニット３Ｃは、本体フレーム２の長さ方向中央位置において取付けられ、右側作業ユニット３Ｒ及び左側作業ユニット３Ｌは、固定・固定解除ボルト４ａを有して、本体フレーム２の外側に嵌挿され、摺動・固定可能の断面ほぼ正方形の摺動・固定金具４に取付けられている。従って、右側作業ユニット３Ｒ及び左側作業ユニット３Ｌは、本体フレーム２に沿って左右にスライドさせることにより中央作業ユニット３Ｃとの間隔が調節可能である。
【００１１】
前記本体フレーム２の長さ方向中央部分から前側に向け、図示しないトラクタのトップリンクに連結されるトップマスト５と、その両側にトラクタのロアリンクに連結される一対のロアリンク連結部６とが設けられている。本体フレーム２の後ろ側にギヤボックス７が取付けられ、このギヤボックス７から左右両側に、本体フレーム２に沿ってアウタ伝動軸８が延びており、その一方は中央作業ユニット３Ｃの伝動兼支持ケース１０の基端部を貫通して動力が伝達される。アウタ伝動軸８は断面６角形、中空状のもので、その中空部分に断面６角形のインナ伝動軸９が軸方向に摺動可能に嵌挿されており、両インナ伝動軸９の先端部は右側作業ユニット３Ｒ及び左側作業ユニット３Ｌの伝動兼支持ケース１０の基端部に嵌装されている。アウタ伝動軸８及びインナ伝動軸９の外周は伝動軸カバー１１により伸縮可能に覆われている。ギヤボックス７から前側に２つの入力部７ａ，７ｂが並設され、そのいずれかにトラクタのＰＴＯ軸から動力が伝達される。
【００１２】
前記中央作業ユニット３Ｃの伝動兼支持ケース１０の基端部は、本体フレーム２に対し伝動軸中心１０ａを中心に前後回動可能に支持され、また、右側作業ユニット３Ｒ及び左側作業ユニット３Ｌの伝動兼支持ケース１０の基端部は、摺動・固定金具４に対し伝動軸中心１０ａを中心に前後回動可能に支持されている。そして、中央作業ユニット３Ｃにおいては、本体フレーム２から後方に突出させたブラケット２ａと伝動兼支持ケース１０との間に、また、右側作業ユニット３Ｒ及び左側作業ユニット３Ｌにおいては、摺動・固定金具４から後方に突出させたブラケット４ｂと伝動兼支持ケース１０との間に、それぞれコンプレッションロッド１２を介装している。そして、各作業ユニット３Ｃ，３Ｒ，３Ｌは、作業中に圃場面に凹凸があっても、コンプレッションロッド１２のバネ作用により凹凸に追従していく。
【００１３】
前記摺動・固定金具４の外側端部に、下方に向けて支持部材１３を垂設し、この支持部材１３に、ゲージホイールホルダ１４とスタンドホルダ１５を取付けている。スタンドホルダ１５は、ゲージホイールホルダ１４より側方に突出しているが、右側作業ユニット３Ｒ及び左側作業ユニット３Ｌの横幅よりは内側に位置している。そして、ゲージホイールホルダ１４に、各作業ユニット３Ｃ，３Ｒ，３Ｌの作業深さを調節する装置であるゲージホイール１６を、上下動用グリップ１６ａを有して上下調節可能に支持している。また、スタンドホルダ１５には、スタンド１７が着脱可能に支持され、該スタンド１７に前後２個のキャスター１８を備えている。そして、スタンドホルダ１５にスタンド１７を支持した状態で、トラクタにロータリ中耕機１がほぼ自動的に着脱される。また、ロータリ中耕機１をキャスター１８により単体で移動させて倉庫に収納したり、運搬車に足場板を介して積み降ろししたりする。
【００１４】
前記各作業ユニット３Ｃ，３Ｒ，３Ｌの伝動兼支持ケース１０はチェン伝動系を内装し、図２で明らかなように、機体後方斜め下方に向け突出しており、その下端部に中耕ロータが装着されているので、作業ユニット３Ｃ，３Ｒ，３Ｌを支持する摺動・固定金具４及び本体フレーム２には、図２で時計方向の旋回荷重が掛かることになる。この荷重を緩和するために、本体フレーム２に沿って支持フレーム１９を配設してブラケット２ａ，４ｂの下縁に当接させている。伝動兼支持ケース１０の下端部には左右両側に駆動軸２０が突設され、該駆動軸２０に円形の爪取付けフランジ２１が固設され、この爪取付けフランジ２１に６本の中耕爪２２が放射方向に等間隔に取付けられて中耕ロータを構成している。
【００１５】
また、図４及び図５に示すように、伝動兼支持ケース１０の下端部前側に下方に向け縦刃２３ａと横刃２３ｂとを有する残耕処理刃２３の縦刃２３ａが取付けられており、伝動兼支持ケース１０下方の残耕を処理するようにしている。残耕処理爪２３の横刃２３ｂは、縦刃２３ａの下端部に、機体進行方向前側から後側斜め上方に延びるすくい面と、該すくい面の後方側に配置されて後側斜め上方に延びる土反転作用面とを設けてなり、かつ該土反転作用面は伝動ケースの下端部に対し後退配置されている。また、残耕処理爪２３の横刃２３ｂにおける土反転作用面は、横刃２３ｂのすくい面に連続して延びてすくい面の後端を斜め上方に向けて折り曲げて形成されている。
【００１６】
中耕ロータの上方は、中央部から左右の上部カバー２４，２４、側部カバー２７，２７、前後の前部・後部カバー３０，３１により覆われている。上部カバー２４，２４は、中央部に設けられたヒンジ２５，２５を介して左右に回動可能であり、中耕作業、中耕・培土作業により、その回動角度を調節して作業を選択するようにしている。その角度調節を、カバー角度調節装置２６により複数段に調節可能にしている。また、側部カバー２７，２７は、上部カバー２４，２４の外端部にヒンジ２８を介して左右回動可能に支持されており、ヒンジ２８の回動軸端部に設けた回動調節具２９により、側部カバー２７，２７の回動角度が無段階に調節可能となっている。前部・後部カバー３０，３１は、基端部が上部カバー２４，２４の後端部に取付けられていて、上部カバー２４，２４の回動調節に伴って上下回動する。
【００１７】
次に、このような構成を備えたロータリ中耕機１の動作について説明する。
ロータリ中耕機１を図示しないトラクタに着脱するときは、スタンドホルダ１５にスタンド１７を支持した状態にすることで、ほぼ自動的に着脱することができる。また、ロータリ中耕機１はキャスター１８により単体で移動でき、倉庫に収納したり、運搬車に足場板を介して積み卸しすることができる。ロータリ中耕機１が作業を行うときは、スタンドホルダ１５からスタンド１７を取り外しておく。作物列の畝間隔に応じて、固定・固定解除ボルト４ａを緩めて摺動・固定金具４をスライドさせ、作業ユニット３Ｒ，３Ｌを左右移動させて、適切な作業間隔に設定する。作業ユニット３では、中耕ロータにより、所定幅の中耕作業が行われ、伝動兼支持ケース１０下方の残耕となる部分は、残耕処理爪２３の横刃２３ｂのすくい面により耕耘され、かつ、すくい面の後方側の土反転作用面により伝動ケースの下端部に邪魔されることなく反転され砕かれて均平に仕上げられる。
【００１８】
作業ユニット３Ｃ，３Ｒ，３Ｌの作業深さを調節するときは、ゲージホイールホルダ１４に沿ってゲージホイール１６を上下移動させ、固定する。作業ユニット３Ｃ，３Ｒ，３Ｌにより中耕作業のみを行う場合は、図示のように、中耕ロータの上方を左右の上部カバー２４，２４、側部カバー２７，２７、前後の前部・後部カバー３０，３１により覆った状態で作業する。作物の株元に培土作業を行うときは、カバー角度調節装置２６により上部カバー２４，２４をヒンジ２５を中心に回動して角度を上向きに調節する。また、側部カバー２７，２７においては、回動調節具２９によりヒンジ２８を介して回動角度を無段階に上向きに調節される。上部カバー２４，２４の角度を調節すると、前部・後部カバー３０，３１は連動して回動調節される。
【００１９】
【発明の効果】
以上説明したように本発明による伝動ケースの残耕処理装置は、請求項１及び２の構成を備えることにより、以下の作用効果を奏する。
残耕処理爪の横刃は、縦刃の下端部に、機体進行方向前側から後側斜め上方に延びるすくい面と、該すくい面の後方側に配置されて後側斜め上方に延びる土反転作用面とを設けてなり、かつ該土反転作用面は伝動ケースの下端部に対し後退配置されているので、伝動ケース下方の耕耘ロータで耕耘されなかった残耕部分は、横刃のすくい面によりすくわれるようにして耕耘され、さらに、土反転作用面により伝動ケースの下端部に邪魔されることなく反転され砕かれて平面状に仕上げることができる。そして、伝動ケースの下方全域の残耕処理を精度よく行うことができる。
【００２０】
残耕処理爪の横刃における土反転作用面は、横刃のすくい面に連続して延びてすくい面の後端を斜め上方に向けて折り曲げて形成したので、伝動ケース下方の残耕部分を横刃によって幅広く耕耘し、土反転作用面により反転して均平に仕上げることができる。
【図面の簡単な説明】
【図１】本発明による農作業機の背面図である。
【図２】同側面図である。
【図３】同部分平面図である。
【図４】本発明の背面図である。
【図５】同側面図である。
【図６】従来例の背面図である。
【図７】同側面図である。
【符号の説明】
１  ロータリ中耕機（農作業機）
２  本体フレーム  ２ａ  ブラケット
３  作業（中耕）ユニット  ３Ｃ  中央作業ユニット  ３Ｒ  右側作業ユニット  ３Ｌ  左側作業ユニット
４  摺動・固定金具  ４ａ  固定・固定解除ボルト  ４ｂ  ブラケット
５  トップマスト
６  ロアリンク連結部
７  ギヤボックス  ７ａ，７ｂ  入力部
８  アウタ伝動軸
９  インナ伝動軸
１０  伝動兼支持ケース  １０ａ  伝動軸中心
１１  伝動軸カバー
１２  コンプレッションロッド
１３  支持部材
１４  ゲージホイールホルダ
１５  スタンドホルダ
１６  ゲージホイール（作業深さ調節装置）  １６ａ  上下動用グリップ
１７  スタンド
１８  キャスター
１９  支持フレーム
２０  駆動軸
２１  爪取付けフランジ
２２  中耕爪
２３  残耕処理刃  ２３ａ  縦刃  ２３ｂ  横刃
２４  上部カバー
２５，２８  ヒンジ
２６  カバー角度調節装置
２７  側部カバー
２９  回動調節具
３０，３１  前部・後部カバー
【図１】
0003986858.tif 000002
【図２】
0003986858.tif 000003
【図３】
0003986858.tif 000004
【図４】
0003986858.tif 000005
【図５】
0003986858.tif 000006
【図６】
0003986858.tif 000007
【図７】
0003986858.tif 000008